(57)【特許請求の範囲】
【請求項１】
爪が形成されている基板と、
前記基板に截置し、かつ長さ方向に隔てて第１の側溝と第２の側溝が形成されている可動駒と、
前記可動駒に取り付けられている中空の外針と、
前記外針の中に挿入され、かつ先端部に切欠き部が形成されている内針と、
前記可動駒に、一端を支持されるコイルバネと、
前記コイルバネの他端に当接するバネ底板と、突起が形成されている係止部材とを有するバネ底部材と、
前記内針の後端が固定され、かつフック部を有する操作部と、
前記係止部材および前記バネ底板の両端部が露出している窓を有し、かつ内面には内側に突出する爪が形成されているカバーを有し、
大量の組織を採取する場合は、前記操作部を引いて、前記内針を後退させると同時に前記フック部により前記可動駒の後端を引っ張って前記外針を後退させ、前記基板の爪が前記可動駒の第１の側溝に係止するところまで可動駒を移動させ、
少量の組織を採取する場合は、前記バネ底板を前記内針の先端部側へ移動させて、前記突起を前記カバーの爪に係合させ、その後、前記操作部を引いて、前記内針を後退させると同時に前記フック部により前記可動駒の後端を引っ張って前記外針を後退させ、前記基板の爪が前記可動駒の第２の側溝に係止するところまで可動駒を移動させる
生検針。
【請求項２】
カバーに別の窓が形成され、
前記窓から解除ボタンが突出しており、
前記解除ボタンを押せば、係止部材が押され、突起が前記カバーの爪から外れる
請求項１記載の生検針。
【請求項３】
カバーの窓から露出する係止部材のうち、バネ底板の一方側と他方側にそれぞれ異なる採取量を表示し、
バネ底板が初期状態の場合、前記窓には一方の採取量が表示され、
バネ底板を内針の先端部側へ移動させる場合、前記窓には他方の採取量が表示される
請求項１または２記載の生検針。
【発明の詳細な説明】
【０００１】
【発明の属する技術分野】
本発明は、生検針に関し、特に人体の組織の一部を採取するための組織生検針に関する。
【０００２】
【従来の技術】
従来の組織生検針としては、例えば図７に示す株式会社メディコスヒラタ販売の「オートマチック組織生検針」が知られている。図７（Ａ）において、生検針は、先端部に切欠き部１ａが形成された内針１と、内針１が挿入される中空の外針２とを有している。この生検針の使用手順は、まずプランジャー３を引いて内針１と外針２とを共にセットする（図７（Ｂ））。本体４内には外針２を押圧するコイルバネ５装着され、外針２をセットすることによりコイルバネ５は圧縮状態になる。次にプランジャー３を押すと内針１だけが人体の組織４内に刺入され（図７（Ｃ））、内針１の切欠き部１ａに組織４が取り込まれる。さらにプランジャー３を押すと、コイルバネ５のセットが解かれ、図７（Ｄ）に示すようにコイルバネ５の復元力によって外針２が突出し、切欠き部１ａに入っていたの組織４の一部が内針１と外針２との間に取り入れられる。
【０００３】
この生検針は、プランジャー３の引き具合によって切欠き部１ａの露出長を３段階に設定することができる。これによって、組織の採取量を変えることができる。
【０００４】
【発明が解決しようとする課題】
上記の生検針によれば、プランジャーを大きく引いたときにはバネが大きく圧縮され、小さく引いたときにはバネの圧縮長は短い。バネの復元力は変位量に比例するから、組織を少量採取する場合は、多量に採取する場合に比べてバネの復元力が弱く、したがって外針２の切込み力が弱くなってしまう。そのため、部位によっては組織の採取も困難になるおそれがある。
【０００５】
本発明は上記の点にかんがみてなされたもので、採取量を可変に設定できる生検針において、採取量が少ない場合でも、外針の切込み力が低下しない生検針を提供するすることを目的とする。
【０００６】
【課題を解決するための手段】
上記課題を解決するため、本発明においては、爪が形成されている基板と、前記基板に截置し、かつ長さ方向に隔てて第１の側溝と第２の側溝が形成されている可動駒と、前記可動駒に取り付けられている中空の外針と、前記外針の中に挿入され、かつ先端部に切欠き部が形成されている内針と、前記可動駒に、一端を支持されるコイルバネと、前記コイルバネの他端に当接するバネ底板と、突起が形成されている係止部材とを有するバネ底部材と、前記内針の後端が固定され、かつフック部を有する操作部と、前記係止部材および前記バネ底板の両端部が露出している窓を有し、かつ内面には内側に突出する爪が形成されているカバーを有し、大量の組織を採取する場合は、前記操作部を引いて、前記内針を後退させると同時に前記フック部により前記可動駒の後端を引っ張って前記外針を後退させ、前記基板の爪が前記可動駒の第１の側溝に係止するところまで可動駒を移動させ、少量の組織を採取する場合は、前記バネ底板を前記内針の先端部側へ移動させて、前記突起を前記カバーの爪に係合させ、その後、前記操作部を引いて、前記内針を後退させると同時に前記フック部により前記可動駒の後端を引っ張って前記外針を後退させ、前記基板の爪が前記可動駒の第２の側溝に係止するところまで可動駒を移動させるようにした。
【０００７】
【発明の実施の形態】
図１，２，３はそれぞれ本発明の実施の形態の一例を示す外観図、垂直断面図、水平断面図であり、各図において（Ａ）は初期状態、（Ｂ）は採取量を２０mmに設定した状態、（Ｃ）は採取量を１０mmに設定した状態をそれぞれ示している。
【０００８】
本実施形態の生検針１０は、先端部に切欠き部１ａが形成された内針１と、内針１が挿入される中空の外針２と、外針２を取り付けるハブ６とを備えている。ハブ６は可動駒１００に着脱自在に取り付けられ、可動駒１００は生検針本体２００に摺動自在に取り付けられている。生検針１０は、さらに、可動駒１００を引っ張る生検針引爪３００と、外針２を押圧するコイルバネ５と、コイルバネ５の復元力を調整する調整部材としてのバネ底部材４００とを備えている。以下、各部について詳細に説明する。
【０００９】
可動駒１００は、図４に示すように、筒部１０１と平坦部１０２とから構成されている。筒部１０１の内周面には、バネ５の一端を支持するリブ１０３が形成されている。また、平坦部１０２の裏面には、後述する生検針引爪３００のフック部３０３が挿入される縦溝１０４が平坦部１０２の長さ方向に形成されている。縦溝１０４には、その両側に、長さ方向に隔てて複数の側溝１０５ａ，１０５ｂ，１０６ａ，１０６ｂ，１０７ａ，１０７ｂが形成されている。可動駒１００の先端（図４の左端）には、外針ハブ６を着脱自在に取り付けるための取付部１０８が形成されている。
【００１０】
生検針本体２００は、図５に示すように、可動駒１００が截置される基板２０１と、基板２０１の両側に形成され、生検針操作時に操作者が指を挿入する指穴部２０２とを備えている。基板２０１には、後述する生検針引爪３００のフック部３０３が挿入される縦溝２０３が基板２０１の長さ方向に形成されている。基板２０１には、コの字形のスリット２０４が形成され、このスリット２０４で囲まれた舌部２０５は、片持ちバネのように形成され上下に変形可能となっている。舌部２０５の両側部には、爪２０６ａ，２０６ｂが形成され、両爪の間には斜面２０７が形成されている。この斜面２０７を押すことによって、爪２０６ａ，２０６ｂは図５（Ｃ）の矢印で示す方向に下降する。縦溝２０３の両側には、後述するバネ底板４０２を摺動可能に支持するバネ底板台２０８ａ，２０８ｂが形成されている。
【００１１】
生検針引爪３００は、図２，３に示すように、操作部３０１と操作桿３０２とから成り、操作部３０１には内針１の後端が接着され、操作桿３０２の先端にはフック部３０３が形成されている。なお、図３においては、内針１の後端部およびバネ５は省略されている。
【００１２】
次に、バネ底部材４００は、図６に示すように、コイルバネ５の中心を貫通する軸部４０１と、軸部４０１に連結されコイルバネ５の一端に当接するバネ底板４０２と、バネ底板４０２に連結されバネ底板４０２の位置決めをする係止部材４０３とから構成されている。軸部４０１の中心には内針１が貫通する貫通孔４０１ａが形成されている。係止部材４０３は、軸部４０１の両側に設けられ、各係止部材４０３にはバネ底部材４００を位置決めするための突起４０３ａ，４０３ｂが形成されている。バネ底板４０２の両端部はバネ底板台２０８ａ，２０８ｂ上に摺動可能に截置される。
【００１３】
生検針本体２００の上部および側部はカバー２１０によって覆われている。カバー２１０の両側部には窓２１１が形成され、その窓２１１から係止部材４０３およびバネ底板４０２の両端部が露出している。その露出部分には、図１，６に示すように、バネ底板４０２の右側には「１０mm」と、左側には「２０mm」と表示されている。カバー２１０のさらに前方（図１の左側）の両側部には窓２１２が形成され、その各窓２１２から解除ボタン４１０が突出している（図３）。解除ボタン４１０の隣（図３の右側）のカバー２１０の内面には内側に突出する爪２１３ａ，２１３ｂが形成されている。解除ボタン４１０にはフランジ４１０ａが形成され、これにより窓２１２から脱落しないようになっており、また解除ボタン４１０は板バネ（図示せず）によって外側へ常時付勢されている。
【００１４】
次に生検針１０の操作方法について説明する。
生検針１０は、採取量を１０mmまたは２０mmの２段階に設定することができるが、まず採取量２０mmの場合について説明し、次いで採取量１０mmの場合を説明する。
【００１５】
図１〜３（Ａ）はバネ５が伸びきった初期状態を示し、この状態から操作部３０１を引いて内外針をセットする。操作部３０１を引くと、それに接着された内針１も後退すると同時にフック部３０３が可動駒１００の後端１０９を引っ張って外針２を後退させる。生検針本体２００の爪２０６ａ，２０６ｂが、可動駒１００の側溝１０５ａ，１０５ｂに係止するところまで可動駒１００を移動させる。これによりバネ５が圧縮される（図１〜３（Ｂ）の状態）。バネ底板４０２は初期状態のままにセットしておく。その場合窓２１１には「２０mm」と表示される。
【００１６】
上記の状態で内外針を検査対象である組織まで刺入し、操作部３０１を押すと内針１が組織内に刺入され、切欠き部１ａが２０mm露出する（図１〜３（Ｂ）の鎖線１，１ａ参照）。さらに操作部３０１を押すとフック部３０３が斜面２０７を押して爪２０６ａ，２０６ｂが下降し、可動駒１００はロックが解除されバネ５の復元力によって元の位置まで瞬時に移動し、同時に外針２も突出して切欠き部１ａに入った組織の一部が切取られる。その後内針１を抜き取って切欠き部１ａに取り込んだ組織を回収する。
【００１７】
次に採取量１０mmの場合について説明すると、まずバネ底板４０２を前方（図１〜３の左方）へ移動させる。すると係止部材４０３も同様に移動し、突起４０３ａ，４０３ｂが爪２１３ａ，２１３ｂにそれぞれ係合してロックされバネ５の底上げ（圧縮）が行われる。そのとき窓２１１には「１０mm」と表示される。次いで、採取量２０mmのときと同様に生検針引爪３００を引いて内外針をセットするが、採取量１０mmのときは、生検針本体２００の爪２０６ａ，２０６ｂが可動駒１００の側溝１０６ａ，１０６ｂにそれぞれ係止したところで内外針をセットする（図３（Ｃ）の状態）。このとき切欠き部１ａは図１〜３（Ｃ）に示すように１０mm露出する。このときのバネ５の圧縮度は図２に示すように採取量２０mmのときと同じになり、したがってバネの復元力も採取量２０mmのときと同じになる。またバネ５はその状態でほぼ圧縮しきった状態となり、生検針引爪３００をそれ以上引くことはできないように設定されている。
【００１８】
上記の状態で内外針を検査対象である組織まで刺入し、操作部３０１を押すと内針１が組織内に刺入され、切欠き部１ａが１０mm露出する（図１〜３（Ｃ）の鎖線１，１ａ参照）。さらに操作部３０１を押すとフック部３０３が斜面２０７を押して爪２０６ａ，２０６ｂが下降し、可動駒１００はロックが解除されバネ５の復元力によって元の位置まで瞬時に移動し、同時に外針２も突出して切欠き部１ａに入った組織の一部が切取られる。このときの外針２の切込み力は採取量２０mmのときと同じである。その後内針１を抜き取って切欠き部１ａに取り込んだ組織を回収する。
【００１９】
解除ボタン４１０を本体側へ押せば、係止部材４０３が押され、突起４０３ａ，４０３ｂが内側へ移動して爪２１３ａ，２１３ｂから外れ、バネ底部材４００は初期状態の位置へ復帰する。
【００２０】
以上のように、バネ５の底上げ（圧縮）を行えば、採取量が小さい場合でも外針の切込み力を低下させることなく、生検針による組織の採取を確実に行うことが可能となる。
【００２１】
上記例においては、バネとしてコイルバネを使用したが、本発明はそれに限らず、板バネ等他のバネを用いてもよい。また、採取量を２段階に設定させる例を示したが、採取量を変化させない生検針であっても、あるいは３段階以上設定できる生検針であっても、本発明を適用することができる。バネの復元力を調整する程度は使用するバネの材質等に応じて決めてよく、好ましくは、採取量の変化に関わらず、常に一定のバネ力が得られるように調整する。バネの復元力を調整する調整手段は、多段階に調整できるようにしてもよいし、連続的に調整できるようにしてもよい。
【００２２】
【発明の効果】
以上説明したように、本発明によれば、バネの復元力を調整することにより外針の切込み力の低下を防ぐことができる。
【図面の簡単な説明】
【図１】生検針の側面図であり、（Ａ）は初期状態、（Ｂ）は採取量を２０mmに設定した状態、（Ｃ）は採取量を１０mmに設定した状態をそれぞれ示している。
【図２】生検針の垂直断面図であり、（Ａ）は初期状態、（Ｂ）は採取量を２０mmに設定した状態、（Ｃ）は採取量を１０mmに設定した状態をそれぞれ示している。
【図３】生検針の水平断面図であり、（Ａ）は初期状態、（Ｂ）は採取量を２０mmに設定した状態、（Ｃ）は採取量を１０mmに設定した状態をそれぞれ示している。
【図４】移動駒を示す図であり、（Ａ）は底面図、（Ｂ）は平面図、（Ｃ）は側面図、（Ｄ）は（Ｂ）のＤ−Ｄ線に沿った断面図、（Ｅ）は（Ｂ）を右側からみた側面図である。
【図５】生検針本体を示す図であり、（Ａ）は平面図、（Ｂ）は側面図、（Ｃ）は（Ａ）のＣ−Ｃ線に沿った断面図である。
【図６】バネ底部材を示す図であり、（Ａ）は部分断面図、（Ｂ）は正面図、（Ｃ）は右側面図である。
【図７】従来の生検針およびその使用法を示す図である。
【符号の説明】
１  内針
１ａ  切欠き部
２  外針
１００  可動駒
２００  生検針本体
３００  生検針引爪
４００  バネ底部材
【図１】
0004343309.tif 000002
【図２】
0004343309.tif 000003
【図３】
0004343309.tif 000004
【図４】
0004343309.tif 000005
【図５】
0004343309.tif 000006
【図６】
0004343309.tif 000007
【図７】
0004343309.tif 000008